(57)【要約】【課題】  良好なデザイン性を確保しつつ装置本体の内部における冷却効率の向上を図る。【解決手段】  装置本体３にキーボード１３を配置する配置用凹部１１ａを形成し、該配置用凹部を形成する側壁部１７ａ、１８ａにキーボード側に開口されると共に装置本体の内部に連通する吸気孔１９、１９、・・・を形成し、キーボードと側壁部の隙間から吸気孔を介して冷却空気を装置本体の内部に取り込むようにした。【選択図】  図７
2006099630.tif 000002
【特許請求の範囲】
【請求項１】
内部に制御回路基板が配置され外面にキーボードが配置された装置本体を備えた情報処理装置であって、
装置本体にキーボードを配置する配置用凹部を形成し、
該配置用凹部を形成する側壁部にキーボード側に開口されると共に装置本体の内部に連通する吸気孔を形成し、
キーボードと側壁部の隙間から吸気孔を介して冷却空気を装置本体の内部に取り込むようにした
ことを特徴とする情報処理装置。
【請求項２】
装置本体の吸気孔の近傍に、装置本体の内部に取り込まれた冷却空気を排出する排気孔を形成した
ことを特徴とする請求項１に記載の情報処理装置。
【請求項３】
上記側壁部の外側に該側壁部と対向する外壁部を形成し、
該外壁部と側壁部の各一端部を連結壁部によって連結し、
側壁部と外壁部と連結壁部とを一体に形成した
ことを特徴とする請求項１に記載の情報処理装置。
【発明の詳細な説明】
【技術分野】
【０００１】
本発明は情報処理装置についての技術分野に関する。詳しくは、装置本体の内部における冷却効率の向上等を図る技術分野に関する。
【背景技術】
【０００２】
パーソナルコンピューター、ＰＤＡ（Personal Digital Assistant）、携帯電話等の情報処理装置には、内部に制御回路基板が配置されて所定の処理を行う装置本体を有し、該装置本体の外面に複数の操作キーを有するキーボードが配置されたものがある。
【０００３】
このような情報処理装置にあっては、その駆動時に制御回路基板に配置されたＣＰＵ（中央演算処理装置）や各種の電子部品等の発熱部品における発熱による装置本体の内部の温度上昇を抑制する必要がある。
【０００４】
従来の情報処理装置にあっては、装置本体の内部の温度上昇の抑制を、装置本体の底面に吸気孔を形成して冷却空気を取り込み、取り込んだ冷却空気を装置本体の側面に形成された排気孔から排出することにより、装置本体の内部温度の上昇を抑制するようにしたものがある（例えば、特許文献１参照）。
【０００５】
このように吸気孔を底面に形成し排気孔を側面に形成することにより、キーボード等に対する操作に支障を来たすことなく冷却空気の取込及び排出が行われ、また、使用者の視野に入り難い部分に吸気孔及び排気孔が形成されているため、良好なデザイン性を確保することができる。
【０００６】
【特許文献１】特開２００１−７５６７７号公報
【発明の開示】
【発明が解決しようとする課題】
【０００７】
ところが、上記した従来の情報処理装置にあっては、吸気孔が装置本体の底面に形成されているため、吸気孔から取り込まれた冷却空気が主に制御回路基板の下面側において流動され、制御回路基板の上面側に配置された発熱部品の冷却を十分に行うことができず、全体として冷却効率が悪いという問題がある。
【０００８】
そこで、装置本体の底面のみならず上面にも吸気孔を形成して冷却効率を向上させることも考えられるが、上面に吸気孔を形成することは、規格上困難であり、また、装置本体の内部への塵埃の侵入量が多くなったり良好なデザイン性を確保することができなくなる等の問題が生じてしまう。
【０００９】
そこで、本発明情報処理装置は、上記した問題点を克服し、良好なデザイン性を確保しつつ装置本体の内部における冷却効率の向上を図ることを課題とする。
【課題を解決するための手段】
【００１０】
本発明情報処理装置は、上記した課題を解決するために、装置本体にキーボードを配置する配置用凹部を形成し、該配置用凹部を形成する側壁部にキーボード側に開口されると共に装置本体の内部に連通する吸気孔を形成し、キーボードと側壁部の隙間から吸気孔を介して冷却空気を装置本体の内部に取り込むようにしたものである。
【００１１】
従って、本発明情報処理装置にあっては、キーボードの側方に存在する吸気孔から冷却空気が装置本体の内部に取り込まれる。
【発明の効果】
【００１２】
本発明情報処理装置は、内部に制御回路基板が配置され外面にキーボードが配置された装置本体を備えた情報処理装置であって、装置本体にキーボードを配置する配置用凹部を形成し、該配置用凹部を形成する側壁部にキーボード側に開口されると共に装置本体の内部に連通する吸気孔を形成し、キーボードと側壁部の隙間から吸気孔を介して冷却空気を装置本体の内部に取り込むようにしたことを特徴とする。
【００１３】
従って、取り込まれた冷却空気の多くが装置本体の内部における制御回路基板とキーボードとの間に存在する空間を流動され、制御回路基板に配置された発熱部品の冷却を十分に行うことができ、全体として冷却効率の向上を図ることができる。
【００１４】
また、使用者の視野に入り難い部分に吸気孔が形成されているため、情報処理装置の良好なデザイン性を確保することができる。
【００１５】
請求項２に記載した発明にあっては、装置本体の吸気孔の近傍に、装置本体の内部に取り込まれた冷却空気を排出する排気孔を形成したので、吸排気の制御を容易に行うことができる。
【００１６】
請求項３に記載した発明にあっては、上記側壁部の外側に該側壁部と対向する外壁部を形成し、該外壁部と側壁部の各一端部を連結壁部によって連結し、側壁部と外壁部と連結壁部とを一体に形成したので、部品点数が少なくて済み、コストの高騰を来たすことなく容易に吸気孔を形成することができる。
【発明を実施するための最良の形態】
【００１７】
以下に、本発明情報処理装置を添付図面に従って説明する。以下に示す最良の形態は、本発明情報処理装置をパーソナルコンピューターに適用したものである。尚、本発明の適用範囲はパーソナルコンピューターに限られることはなく、本発明は、例えば、ＰＤＡ（Personal Digital Assistant）、ネットワーク端末、携帯情報端末、ワークステーション等の各種の情報処理装置に適用することができる。
【００１８】
情報処理装置１は表示部２と装置本体３とを備えている（図１参照）。
【００１９】
表示部２は表示用筐体４と該表示用筐体４に配置された表示画面５とを有している。表示用筐体４は、外形が略矩形状に形成された枠状を為すフロントパネル６と、外形が略矩形状に形成されフロントパネル６側に開口された浅い箱状を為すリアパネル７とが結合されて成り、表示用筐体４の外周側の部分が枠部８として設けられている。
【００２０】
表示部２は装置本体３の後端部において、軸方向が左右方向とされたヒンジ部９、９を介して回動自在に支持されている。表示部２は装置本体３を閉塞する閉塞位置と装置本体３を開放する開放位置との間で回動可能とされ、表示部２が開放されたときに装置本体３に設けられた後述するキーボードの使用が可能とされる。
【００２１】
装置本体３は本体用筐体１０に所要の各部が配置されて成り、該本体用筐体１０は上シェル１１と下シェル１２が上下で結合されることにより構成されている。上シェル１１のヒンジ部９、９側の部分には浅い配置用凹部１１ａが形成され、該配置用凹部１１ａには横長のキーボード１３が配置される。キーボード１３は複数の所定の操作キー１４、１４、・・・を有している。
【００２２】
配置用凹部１１ａの内形はキーボード１３の外形より僅かに大きくされている。従って、キーボード１３が配置用凹部１１ａに配置された状態においては、配置用凹部１１ａを形成する壁面とキーボード１３との間に僅かな隙間が形成されている。
【００２３】
装置本体３の上面部のキーボード１３の前側の位置には、タッチパッド１５と操作釦１６、１６が配置されている。
【００２４】
上シェル１１の後端部における左右両側部には、それぞれ上方及び外方（側方）に開口された凹部１１ｂ、１１ｂが形成されている（図１及び図２参照）。凹部１１ｂ、１１ｂは、それぞれ上シェル１１の一部を為す立壁１７、１８を挟んで配置用凹部１１ａの外側に位置されている。
【００２５】
立壁１７、１８は、図３乃至図６に示すように、内側に位置され左右方向を向く側壁部１７ａ、１８ａと該側壁部１７ａ、１８ａの外側に対向して位置され左右方向を向く外壁部１７ｂ、１８ｂと、側壁部１７ａ、１８ａの上端部と外壁部１７ｂ、１８ｂの上端部をそれぞれ連結する連結壁部１７ｃ、１８ｃとから成る。外壁部１７ｂ、１８ｂは側壁部１７ａ、１８ａより上下の長さが長くされている。
【００２６】
側壁部１７ａ、１８ａにはそれぞれ前後に並んで複数の吸気孔１９、１９、・・・が形成されている。従って、吸気孔１９、１９、・・・によって配置用凹部１１ａと装置本体３の内部とが連通されている（図７参照）。
【００２７】
外壁部１８ｂには前後に並んで複数の排気孔２０、２０、・・・が形成され、該排気孔２０、２０、・・・は吸気孔１９、１９、・・・の下側に位置されている。従って、排気孔２０、２０、・・・によって装置本体３の内外が連通されている（図７参照）。
【００２８】
装置本体３の内部には制御回路基板２１が配置されている（図８参照）。制御回路基板２１は下シェル１２から上方に突出された複数の取付ボスに取り付けられ、上シェル１１と下シェル１２との間に一定の間隔を以て配置されている。制御回路基板２１と上シェル１１との間の空間は上側流動路２２とされ、制御回路基板２１と下シェル１２との間の空間は下側流動路２３とされている（図７参照）。
【００２９】
制御回路基板２１上には、図８に示すように、左右に並んでチップセット２４とＣＰＵ（中央演算処理装置）２５が配置されており、これらのチップセット２４とＣＰＵ２５は、その駆動時に大量の熱を発生する発熱体とされる。ＣＰＵ２５の上面には、放熱板２６が取り付けられている。
【００３０】
制御回路基板２１上にはメモリーカード等が挿入されて装着されるカードスロット２７が配置されている。
【００３１】
下シェル１２には、例えば、その２カ所に吸気孔１２ａ、１２ａ、・・・を有する吸気部が形成されている（図７参照）。この吸気部は、下シェル１２の少なくとも左端部には形成されている。下シェル１２には、下方へ突出された支持台部１２ｂ、１２ｂ、・・・が設けられている。従って、情報処理装置１が机上等に載置された状態においては、支持台部１２ｂ、１２ｂ、・・・によって下シェル１２の下面と机上等との間に形成された空間から、吸気孔１２ａ、１２ａ、・・・を介して冷却空気としての外気が取り込まれる。
【００３２】
下シェル１２上の制御回路基板２１が配置されていない位置には、図８に示すように、ハードディスクドライブ２８、光ディスクドライブ２９及び冷却ファン３０が配置されている。冷却ファン３０はＣＰＵ２５の近傍の位置に配置されている。
【００３３】
冷却ファン３０の右側には、該冷却ファン３０に連結された放熱フィン３１が配置され、該放熱フィン３１は上シェル１１に形成された排気孔２０、２０、・・・の近傍に位置されている。
【００３４】
放熱フィン３１とＣＰＵ２５に取り付けられた放熱板２６とは伝熱ケーブル３２によって連結されている。従って、ＣＰＵ２５に発生した熱は、放熱板２６から伝熱ケーブル３２を介して放熱フィン３１に伝達され、冷却ファン３０によって放熱フィン３１から排気孔２０、２０、・・・を介して外部へ排出される。
【００３５】
以上のように構成された情報処理装置１において、その駆動時にチップセット２４やＣＰＵ２５等の発熱体が発熱すると、装置本体３の内部の温度が上昇し、外気が冷却空気として側壁部１７ａ、１８ａとキーボード１３との間の隙間から吸気口１９、１９、・・・を介して装置本体３の内部に取り込まれる（図７参照）。また、このとき装置本体３の底面に形成された吸気孔１２ａ、１２ａ、・・・からも外気が冷却空気として装置本体３の内部に取り込まれる。
【００３６】
装置本体３の内部に取り込まれた冷却空気は、制御回路基板２１の上下に存在する上側流動路２２又は下側流動路２３を流動されて装置本体３の内部を冷却し、排気孔２０、２０、・・・から外部へ排出される。このとき上シェル１１に形成された吸気孔１９、１９、・・・から取り込まれた冷却空気は、主に上側流動路２２を流動され、下シェル１２に形成された吸気孔１２ａ、１２ａ、・・・から取り込まれた冷却空気は、主に下側流動路２３を流動される。
【００３７】
以上に記載した通り、情報処理装置１にあっては、配置用凹部１１ａを形成する側壁部１７ａ、１８ａにキーボード１３側に開口された吸気孔１９、１９、・・・を形成し、キーボード１３と側壁部１７ａ、１８ａの隙間から吸気孔１９、１９、・・・を介して冷却空気を装置本体３の内部に取り込むようにしている。
【００３８】
従って、取り込まれた冷却空気の多くが制御回路基板２１の上側の上側流動路２２を流動され、制御回路基板２１の上面側に配置されたチップセット２４やＣＰＵ２５等の発熱部品の冷却を十分に行うことができ、全体として冷却効率の向上を図ることができる。
【００３９】
また、使用者の視野に入り難い部分に吸気孔１９、１９、・・・が形成されているため、情報処理装置１の良好なデザイン性を確保することができる。
【００４０】
さらに、装置本体３の吸気孔１９、１９、・・・の近傍に排気孔２０、２０、・・・を形成しているため、吸排気の制御を行い易いという利点がある。
【００４１】
加えて、吸気孔１９、１９、・・・が形成された側壁部１７ａ、１８ａと吸気孔１９、１９、・・・を外側から覆い隠す外壁部１７ｂ、１８ｂと両者を連結する連結壁部１７ｃ、１８ｃとを一体に形成しているため、部品点数が少なくて済み、コストの高騰を来たすことなく容易に吸気孔１９、１９、・・・や排気孔２０、２０、・・・を形成することができる。
【００４２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００４３】
【図１】図２乃至図８と共に本発明情報処理装置の最良の形態を示すものであり、本図は、情報処理装置の斜視図である。
【図２】上シェルの斜視図である。
【図３】左側の立壁を示す拡大斜視図である。
【図４】右側の立壁を示す拡大斜視図である。
【図５】左側の立壁を図３とは異なる方向から見た状態で示す拡大斜視図である。
【図６】右側の立壁を図４とは異なる方向から見た状態で示す拡大斜視図である。
【図７】冷却空気の流れを示す概念図である。
【図８】装置本体の内部構成を示す斜視図である。
【符号の説明】
【００４４】
１…情報処理装置、３…装置本体、１１ａ…配置用凹部、１３…キーボード、１７ａ…側壁部、１７ｂ…外壁部、１７ｃ…連結壁部、１８ａ…側壁部、１８ｂ…外壁部、１８ｃ…連結壁部、１９…吸気孔、２０…排気孔、２１…制御回路基板
【図１】
2006099630.tif 000003
【図２】
2006099630.tif 000004
【図３】
2006099630.tif 000005
【図４】
2006099630.tif 000006
【図５】
2006099630.tif 000007
【図６】
2006099630.tif 000008
【図７】
2006099630.tif 000009
【図８】
2006099630.tif 000010